(57)【要約】【課題】例えば移動中などで、無線通信不能な環境に置かれると、テレビジョン放送を表示し続けることができなくなっていた。【解決手段】タイムシフトバッファに上限データ量まで未再生ＴＶ放送データが蓄積されるまでの間、低速再生を行うことで未再生データを蓄積し、受信状態が所定値より悪くなると、タイムシフトバッファに蓄積された未再生ＴＶ放送データを再生する。このように、ＴＶ放送波の受信状態が悪くなることに備えてタイムシフトバッファにＴＶ放送データを録りためておくことで、ＴＶ放送波の受信状態が悪くなっても継続的にＴＶ番組を視聴できるようにする。【選択図】図２
2010074726.tif 000002
【特許請求の範囲】
【請求項１】
テレビジョン放送電波を受信する受信手段と、
テレビジョン放送データを録画する録画データ格納手段と、を備え、
前記受信手段での受信レベルが所定値以上である時、前記録画データ格納手段に所定の上限データ量まで未再生の録画データが蓄積されるまでの間、前記受信手段での受信速度よりも遅い速度でテレビジョン放送を表示出力しながら前記受信手段で受信したテレビジョン放送データを前記録画データ格納手段に録画し、
前記受信手段での受信レベルが所定値未満である時、前記録画データ格納手段に蓄積された録画データを再生することを特徴とする携帯型テレビジョン受信機。
【請求項２】
テレビジョン放送電波を受信する受信手段と、
前記受信手段による受信レベルを検知する受信状態検知手段と、
テレビジョン放送データを録画する録画データ格納手段と、
前記録画データ格納手段による録画制御を行う録画制御手段と、
テレビジョン放送の映像および音声を出力する出力手段と、
前記出力手段による出力制御を行う出力制御手段と、を備え、
前記受信状態検知手段により検知される受信レベルが所定値以上である時、前記録画データ格納手段に所定の上限データ量まで未再生の録画データが蓄積されるまでの間、前記出力制御手段が前記受信手段での受信速度よりも遅い所定速度でテレビジョン放送を前記出力手段に出力すると共に、前記受信手段で受信されたテレビジョン放送データを前記録画制御手段が前記録画データ格納手段に録画し、
前記受信状態検知手段により検知される受信レベルが所定値未満である時、前記出力制御手段は、前記録画データ格納手段に蓄積された録画データを再生して前記出力手段により出力することを特徴とする携帯型テレビジョン受信機。
【請求項３】
前記出力制御手段は、前記録画データ格納手段に格納された録画データを再生して前記出力手段から出力する場合、前記受信手段での受信速度よりも遅い前記所定速度で該格納された録画データを出力することを特徴とする請求項２記載の携帯型テレビジョン受信機。
【請求項４】
前記出力制御手段は、前記録画データ格納手段に格納された録画データを再生して前記出力手段から出力する場合、予め定められた録画データ再生速度により該格納された録画データを出力することを特徴とする請求項２記載の携帯型テレビジョン受信機。
【請求項５】
テレビジョン放送電波を受信する受信手段と、
テレビジョン放送データを録画する録画データ格納手段と、を備えた携帯型テレビジョン受信機のプログラムであって、
前記受信手段での受信レベルが所定値以上である時、前記録画データ格納手段に所定の上限データ量まで未再生の録画データが蓄積されるまでの間、前記受信手段での受信速度よりも遅い速度でテレビジョン放送を表示出力しながら前記受信手段で受信したテレビジョン放送データを前記録画データ格納手段に録画し、
前記受信手段での受信レベルが所定値未満である時、前記録画データ格納手段に蓄積された録画データを再生する処理を前記携帯型テレビジョン受信機のコンピュータに実行させることを特徴とする携帯型テレビジョン受信機のプログラム。
【請求項６】
テレビジョン放送電波を受信する受信手段と、
テレビジョン放送データを録画する録画データ格納手段と、
テレビジョン放送の映像および音声を出力する出力手段と、を備えた携帯型テレビジョン受信機のプログラムであって、
前記受信手段による受信レベルを検知する受信状態検知処理と、
前記受信状態検知処理により検知される受信レベルが所定値以上である時、前記録画データ格納手段に所定の上限データ量まで未再生の録画データが蓄積されるまでの間、前記受信手段での受信速度よりも遅い所定速度でテレビジョン放送を前記出力手段に出力すると共に、前記受信手段で受信されたテレビジョン放送データを前記録画データ格納手段に録画し、前記受信状態検知処理により検知される受信レベルが所定値未満である時、前記録画データ格納手段に蓄積された録画データを再生して前記出力手段により出力する制御処理と、
を前記携帯型テレビジョン受信機のコンピュータに実行させることを特徴とする携帯型テレビジョン受信機のプログラム。
【請求項７】
前記制御処理では、前記録画データ格納手段に格納された録画データを再生して前記出力手段から出力する場合、前記受信手段での受信速度よりも遅い前記所定速度で該格納された録画データを前記出力手段により出力することを特徴とする請求項６記載の携帯型テレビジョン受信機のプログラム。
【請求項８】
前記制御処理では、前記録画データ格納手段に格納された録画データを再生して前記出力手段から出力する場合、予め定められた録画データ再生速度で該格納された録画データを前記出力手段により出力することを特徴とする請求項６記載の携帯型テレビジョン受信機のプログラム。
【発明の詳細な説明】
【技術分野】
【０００１】
本発明は、例えばＴＶ受信機能付き携帯電話機など、ＴＶ受信機能を備えて移動可能である携帯型テレビジョン受信機および該受信機のプログラムに関する。
【背景技術】
【０００２】
近年、ワンセグ放送の開始などに伴い、携帯型テレビジョン受信機が普及しつつある。
【０００３】
こうしたテレビ受信機として、テレビ電波の受信電力量が所定の電力量以下である状態が所定の期間にわたって継続した場合、テレビ録画装置にテレビ画像を録画し、通信可能である場合にその録画されたテレビ画像をテレビ受信機に送信するようにしたものがある（例えば、特許文献１参照）。
【０００４】
また、テレビジョン放送直接受信手段でテレビ放送電波を直接受信する機能を備えると共に、受信状態が劣化すると、自宅で受信したテレビ放送を送信する機能を有する遠隔地端末装置からのテレビ放送信号を、公衆回線網経由で無線基地局から無線で受信するようにしたものがある（例えば、特許文献２参照）。
【特許文献１】特開２００７−２８４７５号公報
【特許文献２】特開２００３−６９９１０号公報
【発明の開示】
【発明が解決しようとする課題】
【０００５】
しかしながら、上述のような携帯型テレビジョン受信機では、ユーザの使用状態などによってテレビ受信機の位置や向きが変化していくため、電波の受信状態が変化し、場合によって受信不能となる可能性も考えられる。
【０００６】
ここで、携帯型テレビジョン受信機が移動中の暇つぶしといった目的で使用される場合を考えると、たとえ電波の受信状態が変化したとしても、常にテレビジョン放送をユーザが視聴できる状態であることが望ましい。
【０００７】
これに対し、上述した特許文献１のものは、電波の届きにくい場所で受像できなかったテレビ映像をテレビ録画装置に録画しておき、後から視聴できるようにするものであり、携帯型テレビジョン受信機でテレビジョン放送を表示し続けることについてまで考慮されたものではなかった。
【０００８】
また、上述した特許文献２のものは、テレビジョン放送の無線による受信方式を直接と間接の２種類用意するものであり、例えば移動時にトンネルの中を通過する際など、無線通信不能である環境下でもテレビジョン放送を表示し続けることについてまで考慮されたものではなかった。
【０００９】
本発明はこのような状況に鑑みてなされたものであり、例えば移動中などで、無線通信不能な環境に一時的に置かれることがあったとしても、テレビジョン放送を表示し続けることができる携帯型テレビジョン受信機および該受信機のプログラムを提供することを目的とする。
【課題を解決するための手段】
【００１０】
かかる目的を達成するために、本発明に係る携帯型テレビジョン受信機は、テレビジョン放送電波を受信する受信手段と、テレビジョン放送データを録画する録画データ格納手段と、を備え、上記受信手段での受信レベルが所定値以上である時、上記録画データ格納手段に所定の上限データ量まで未再生の録画データが蓄積されるまでの間、上記受信手段での受信速度よりも遅い速度でテレビジョン放送を表示出力しながら上記受信手段で受信したテレビジョン放送データを上記録画データ格納手段に録画し、上記受信手段での受信レベルが所定値未満である時、上記録画データ格納手段に蓄積された録画データを再生することを特徴とする。
【００１１】
また、本発明に係る携帯型テレビジョン受信機のプログラムは、テレビジョン放送電波を受信する受信手段と、テレビジョン放送データを録画する録画データ格納手段と、を備えた携帯型テレビジョン受信機のプログラムであって、上記受信手段での受信レベルが所定値以上である時、上記録画データ格納手段に所定の上限データ量まで未再生の録画データが蓄積されるまでの間、上記受信手段での受信速度よりも遅い速度でテレビジョン放送を表示出力しながら上記受信手段で受信したテレビジョン放送データを上記録画データ格納手段に録画し、上記受信手段での受信レベルが所定値未満である時、上記録画データ格納手段に蓄積された録画データを再生する処理を上記携帯型テレビジョン受信機のコンピュータに実行させることを特徴とする。
【発明の効果】
【００１２】
以上のように、本発明によれば、例えば移動中などで、無線通信不能な環境に一時的に置かれることがあったとしても、テレビジョン放送を表示し続けることができる。
【発明を実施するための最良の形態】
【００１３】
次に、本発明に係る携帯型テレビジョン受信機および該受信機のプログラムを、ＴＶ受信機能付き携帯電話機に適用した一実施形態について、図面を用いて詳細に説明する。
本実施形態は、ＴＶ放送波の受信状態が悪くなることに備えてタイムシフトバッファにＴＶ放送データを録りためておき、ＴＶ放送波の受信状態が悪くなっても継続的にＴＶ番組を視聴できる機能を提供するものである。
【００１４】
このため、本実施形態では、タイムシフトバッファに上限データ量まで未再生ＴＶ放送データが蓄積されるまでの間、低速再生を行うことで未再生データを蓄積し、受信状態が所定値より悪くなると、タイムシフトバッファに蓄積された未再生ＴＶ放送データを再生するようにしている。
【００１５】
本実施形態としての携帯電話機は、携帯電話機としての所要の電子部品を備えると共に、図１に示すように、ＴＶ放送電波を受信するチューナ（受信手段）１と、ＴＶ放送の映像や音声を出力する出力部６とを備え、ＴＶ放送を視聴できるようになっている。
また、ユーザによる操作入力を受ける操作入力部２と、装置全体の制御を行う制御部３と、ＴＶ放送データを所定容量まで録画することでタイムシフト再生を可能とするタイムシフトバッファ（録画データ格納手段）４と、映像音声デコーダ５とを備える。
【００１６】
映像音声デコーダ５は、映像や音声の圧縮信号をデコードし、出力部６により再生可能な映像信号および音声信号に変換するデバイスである。なお、このデコーダ機能は、専用デバイスにより実現される構成に限定されず、ソフトウェアによりＣＰＵなどの計算部が処理を行うことで実現される構成であってもよい。
また、映像音声デコーダ５は、制御部３からの出力制御により、映像や音声を通常のＴＶ放送よりもやや低速な所定速度で再生する低速再生機能を有する。
【００１７】
制御部３は、本実施形態のプログラムに基づいてＣＰＵなどの計算部が処理を行うことで実現される。この制御部３は、受信状態検知部３１と、タイムシフトバッファ４への録画制御を行う録画制御部３２と、出力部６による出力制御を行う出力制御部３３とを備える。
【００１８】
受信状態検知部３１は、チューナ１による受信状態を示す信号のレベル（以下、受信レベル）を検知し、検知した受信レベルを録画制御部３２や出力制御部３３に送信する。この受信レベルは、例えば、受信信号のＳ／Ｎ比、受信信号の信号強度、受信信号のビットエラーレートなど、受信状態のレベルを評価する値であれば各種のものを用いてよい。
【００１９】
次に、本実施形態による動作について、図２のフローチャートを参照して説明する。
本実施形態としての携帯電話機は、既存の携帯ＴＶ受信機と同様の動作を実現する“通常モード”と、本実施形態による“暇つぶしモード”とを、操作入力部２からの操作入力により切り替える機能を有する。
また、ＴＶ番組を出力部６から出力する際には、タイムシフトバッファ４に一度録画してからその録画データを映像音声デコーダ５によりデコードして出力するものとする。
【００２０】
“通常モード”にセットされている場合（ステップＳ１；Ｎｏ）、上述した受信状態検知部３１による検知結果にかかわらず、出力制御部３３は映像音声デコーダ５に等速再生を設定する（ステップＳ２）。このことにより、出力部６は、タイムシフトバッファ４に録画されたＴＶ放送データを、チューナ１により受信された速度のままでリアルタイムに出力する。
【００２１】
操作入力部２により“暇つぶしモード”がセットされると（ステップＳ１；Ｙｅｓ）、出力制御部３３は、タイムシフトバッファ４に未再生のＴＶ放送データが所定の上限データ量まで蓄積されていない限り（ステップＳ３；Ｎｏ）、映像音声デコーダ５に低速再生を設定する（ステップＳ５）。
この低速再生時の再生速度は、受信されたＴＶ放送データの速度よりも遅い速度であれば、工場出荷時などに予め設定された速度であってもよく、ユーザにより操作入力部２で予め設定された速度であってもよい。
【００２２】
録画制御部３２によるＴＶ放送データのタイムシフトバッファ４への録画は、チューナ１により受信されるＴＶ放送データそのままの等速で行われるため、上述したステップＳ５の低速再生が行われることにより、タイムシフトバッファ４には未再生のＴＶ放送データが蓄積されていくこととなる。
【００２３】
タイムシフトバッファ４に未再生のＴＶ放送データが所定の上限データ量まで蓄積されると（ステップＳ３；Ｙｅｓ）、出力制御部３３は、映像音声デコーダ５に等速再生を設定する（ステップＳ４）。
【００２４】
また、本実施形態としての携帯電話機は、ＴＶ視聴を行う際には受信状態検知部３１による受信レベルの検知を常時行う。そして、その受信レベルが予め定められた閾値未満になると、その時点で録画制御部３２はタイムシフトバッファ４への録画を停止する。
ここで、“暇つぶしモード”がセットされており、タイムシフトバッファ４に未再生のＴＶ放送データが蓄積されていれば、出力制御部３３は、そのタイムシフトバッファ４に蓄積された未再生のＴＶ放送データの出力部６からの出力を継続することとなる。
【００２５】
すなわち、“暇つぶしモード”がセットされ、上述したステップＳ５での低速再生が行われると、出力部６により出力される映像や音声はチューナ１により受信されるＴＶ放送データよりも時間的に遅れたものとなり、出力制御部３３は、タイムシフトバッファ４に録画された未再生のＴＶ放送データを出力部６から出力している。ここで、受信状態検知部３１による受信レベルが上記閾値未満になると、この未再生のＴＶ放送データの出力だけがそのまま継続して行われ、タイムシフトバッファ４への新たな録画が行われない状態となる。
【００２６】
この受信レベルが上記閾値未満になった場合の再生速度は、上述したステップＳ５での低速再生による再生速度であってもよく、等速再生であってもよい。また、受信されたＴＶ放送データの速度よりも遅い速度であれば、ユーザにより操作入力部２から予め設定された再生速度であってもよい。
【００２７】
次に、上述した本実施形態による“暇つぶしモード”がセットされた状態での動作例について、図３を参照して説明する。図３は、“暇つぶしモード”がセットされた状態での動作例により、タイムシフトバッファ４に蓄積される未再生のＴＶ放送データの蓄積量の推移例を示す。
【００２８】
まず、上述したステップＳ１により、操作入力部２から“暇つぶしモード”ＯＮが入力されると、受信状態検知部３１による受信レベルが上述の閾値以上であれば、上述したステップＳ５で映像音声デコーダ５に低速再生が設定されることにより、タイムシフトバッファ４には、未再生のＴＶ放送データが時間の経過に従って蓄積されていく（ステップＳ１１）。
【００２９】
こうしてタイムシフトバッファ４に蓄積される未再生のＴＶ放送データが予め定められた上限データ量に達すると、上述したステップＳ４で映像音声デコーダ５に等速再生が設定される。このため、チューナ１により受信されたＴＶ放送データがタイムシフトバッファ４に順次録画されると共に、受信されている速度と同じ等速再生として映像音声デコーダ５がタイムシフトバッファ４から順次読み出し、結果としてタイムシフトバッファ４への未再生のＴＶ放送データの蓄積量は上記の上限データ量のままで推移することとなる（ステップＳ１２）。
【００３０】
ここで、受信状態検知部３１により検知される受信レベルが上述の閾値未満になると、チューナ１により受信されるＴＶ放送データがタイムシフトバッファ４に録画されなくなる。このため、映像音声デコーダ５がタイムシフトバッファ４に蓄積されたＴＶ放送データを読み出して順次再生していくことにより、タイムシフトバッファ４に蓄積される未再生のＴＶ放送データは再生された分だけ減少していくこととなる（ステップＳ１３）。
なお、この受信レベルが上記閾値未満となった場合の再生速度は、上述のように低速再生であってもよく、等速再生であってもよいが、図３には、低速再生の場合の例を示す。
【００３１】
また、ユーザの移動などによりチューナ１による受信状態が変化し、受信状態検知部３１による受信レベルが上述の閾値以上になると、再度、上述したステップＳ５の動作として映像音声デコーダ５に低速再生が設定され、タイムシフトバッファ４に未再生のＴＶ放送データが蓄積されていくこととなる（ステップＳ１４）。
【００３２】
こうしてタイムシフトバッファ４に蓄積される未再生のＴＶ放送データが予め定められた上限データ量に達すると、上述したステップＳ４で映像音声デコーダ５に等速再生が設定され、タイムシフトバッファ４への未再生のＴＶ放送データの蓄積量が上記の上限データ量のままで推移していくこととなる（ステップＳ１５）。
【００３３】
以上のように、上述した実施形態によれば、ユーザが移動中などにより、チューナ１によるＴＶ放送電波の受信状態が悪くなった場合であっても、タイムシフトバッファ４に蓄積されている未再生のＴＶ放送データを用いることにより、出力部６によるＴＶ放送データの映像や音声の出力を所定時間継続することができる。
【００３４】
また、他の無線通信方式を必要とせずに上述の効果を得ることができるため、各種方式の無線通信が不能な環境に一時的に置かれることがあったとしても、出力部６によるＴＶ放送データの映像や音声の出力を所定時間まで継続することができる。
【００３５】
ユーザが携帯型ＴＶ受信機でＴＶ番組を視聴する目的の一つは、暇つぶしであると考えられる。こうした暇つぶしの目的でＴＶを見ている際には、仮にＴＶ放送電波の受信状態が悪くなった場合であっても、ユーザがなんらかのコンテンツの視聴を続けられることが重要である。すなわち、何らかのコンテンツの視聴を続けることができるのであれば、リアルタイム性を犠牲にする動作であっても許容しうるものと想定される。
上述した実施形態によれば、ＴＶ放送電波の受信状態が悪い場合であっても、こうした暇つぶし目的のユーザのニーズを満たすことができる。
【００３６】
なお、上述した各実施形態は本発明の好適な実施形態であり、本発明はこれに限定されることなく、本発明の技術的思想に基づいて種々変形して実施することが可能である。
【００３７】
例えば、上述した図１に示す構成に、地図情報とＧＰＳ（Global Positioning Systems）部とをさらに備えることで、トンネルなどのＴＶ放送電波の受信不能箇所を自動予測する構成であってもよい。この場合、地図情報とＧＰＳ部からの現在位置情報とを用いて、制御部３が移動速度を算出し、トンネルなどのＴＶ放送電波の受信不能箇所を通過して受信可能状態となるまでの時間を算出する。
こうしてＴＶ放送電波の受信不能状態の継続時間を予測することにより、例えば、受信状態検知部３１による受信レベルが上述の閾値未満である場合の再生速度を、タイムシフトバッファ４に蓄積されている未再生のＴＶ放送データがなくならないように設定するなどの制御が可能となる。
【００３８】
また、上述した実施形態では、本発明をＴＶ受信機能付き携帯電話機に適用した例について説明したが、このものに限定されず、例えばＴＶ受信機能付きのＰＤＡ（Personal Digital Assistant）、携帯型ノートＰＣ（Personal Computer）、カーナビゲーション装置、など各種の携帯情報装置であっても、本発明は同様に実現することができる。
【００３９】
また、上述した実施形態を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ-ＲＯＭ、ＣＤ-Ｒ、ＣＤ-ＲＷ、ＤＶＤ-ＲＯＭ、ＤＶＤ-ＲＡＭ、ＤＶＤ-ＲＷ、ＤＶＤ+ＲＷ、磁気テープ、不揮発性のメモリーカード、ＲＯＭ等を用いてよい。
【００４０】
この本発明に係るプログラムによれば、当該プログラムによって制御される各種の携帯型テレビジョン受信機に、上述した実施形態における各機能を実現させることができる。
【図面の簡単な説明】
【００４１】
【図１】本発明の実施形態の構成例を示すブロック図である。
【図２】本実施形態による“暇つぶしモード”の動作例を示すフローチャートである。
【図３】タイムシフトバッファ４への未再生データ蓄積量の推移例を示す図である。
【符号の説明】
【００４２】
１    チューナ
２    操作入力部
３    制御部
３１    受信状態検知部
３２    録画制御部
３３    出力制御部
４    タイムシフトバッファ
５    映像音声デコーダ
６    出力部
【図１】
2010074726.tif 000003
【図２】
2010074726.tif 000004
【図３】
2010074726.tif 000005